(57)【要約】【課題】タグリストを利用してプレイリストを作成することができる録画再生装置及び録画再生方法を提供する。【解決手段】再生または録画される映像に、始点と終点とにより規定される区間を設定し、この区間を識別する識別情報を与える区間識別部と、前記映像にタグを設定し、このタグを識別する識別情報を与えるタグ識別部と、前記区間を識別する識別情報と前記タグを識別する識別情報とを保持する記憶部とを具備する録画再生装置。【選択図】  図２
2013030823.tif 000002
【特許請求の範囲】
【請求項１】
再生または録画される映像に、始点と終点とにより規定される区間を設定し、この区間を識別する識別情報を与える区間識別部と、
前記映像にタグを設定し、このタグを識別する識別情報を与えるタグ識別部と、
前記区間を識別する識別情報と前記タグを識別する識別情報とを保持する記憶部と、
を具備する録画再生装置。
【請求項２】
前記記憶部は、前記区間を識別する識別情報と前記タグを識別する識別情報とを混在して保持する請求項１に記載の録画再生装置。
【請求項３】
更に再生する映像にプレイリストを作成するプレイリスト作成部を備え、このプレイリスト作成部は前記区間を識別する識別情報に基づいて前記プレイリストを作成する請求項１に記載の録画再生装置。
【請求項４】
前記プレイリスト作成部は作成された前記プレイリストから前記区間を識別する識別情報を削除する請求項３に記載の録画再生装置。
【請求項５】
外部の録画再生装置から映像情報を受信する受信手段と、
この映像に関するプレイリストを作成し前記録画再生装置へこのプレイリストを送る作成・送信手段を備え、
この作成・送信手段は前記プレイリストの区間を識別する識別情報に基づいて前記プレイリストを作成する電子機器。
【請求項６】
更に前記映像を表示する表示部を備えた請求項１に記載の録画再生装置。
【請求項７】
再生または録画される映像に、始点と終点とにより規定される区間を設定し、この区間を識別する識別情報を与え、
前記映像にタグを設定し、このタグを識別する識別情報を与え、
前記区間を識別する識別情報と前記タグを識別する識別情報とを保持する録画再生方法。
【発明の詳細な説明】
【技術分野】
【０００１】
本発明の実施形態は、特にタグリストを利用したプレイリストを作成する録画再生装置、電子機器及び録画再生方法に関する。
【背景技術】
【０００２】
プレイリストを作成する録画再生装置がある。
例えば、関連して特許文献１には、コンテンツを内容に沿ったチャプターに分割するため、コンテンツ編集装置は、ネットワークを介して、取得したチャプター分割情報に基づいて、そのコンテンツをチャプター分割するとある。このチャプター分割情報は、コンテンツにおける分割点を示す分割点情報や、コンテンツにおける分割区間を示す分割区間情報である旨記載されている。
【０００３】
しかしながら、タグリストを利用したプレイリストを作成することへの要望があるが、かかる要望を実現するための手段は知られていない。例えば、IN/OUT指定と通常のタグと混在させてプレイリストを作成する方法については開示されていない。
【先行技術文献】
【特許文献】
【０００４】
【特許文献１】特開２００６−１７４４０２号公報
【発明の概要】
【発明が解決しようとする課題】
【０００５】
本発明の実施の形態は、タグリストを利用してプレイリストを作成することができる録画再生装置及び録画再生方法を提供することを目的とする。
【課題を解決するための手段】
【０００６】
上記課題を解決するために、実施形態によれば録画再生装置は、再生または録画される映像に、始点と終点とにより規定される区間を設定し、この区間を識別する識別情報を与える区間識別部と、前記映像にタグを設定し、このタグを識別する識別情報を与えるタグ識別部と、前記区間を識別する識別情報と前記タグを識別する識別情報とを保持する記憶部とを具備する。
【図面の簡単な説明】
【０００７】
【図１】実施形態を適用する録画再生装置の構成の一例を示す概略図。
【図２】同実施形態のタグリストの例（ある30分の番組）を示す説明図。
【図３】同実施形態のタグリスト内の文字列定義の例を説明するために示す図。
【図４】同実施形態のレコーダーの編集コマンド（タグリストアプリからコマンドを送る）の例を示す説明図。
【図５】同実施形態に用いられるシーケンス図（タグリストアプリからレコーダーに送るコマンド）。
【図６】同実施形態のタグリストを元に、プレイリストにチャプターを反映の様子を示す説明図。
【図７】同実施形態に用いられるプレイリストで、削除対象のチャプターを指定する様子を示す説明図。
【図８】同実施形態に用いられるチャプター削除後のプレイリストを示す説明図。
【図９】同実施形態に用いられるチャプター名から”IN:” の文字列を削除する様子を示す説明図。
【発明を実施するための形態】
【０００８】
以下、実施形態を図１乃至図９を参照して説明する。
図１は、本構成のブロック図である。
録画再生装置（レコーダ装置）１は概要として、アンテナを介して取得可能な番組を選局して受信するチューナ部３、チューナ部３が受信した番組からユーザの指示する操作及び制御入力に対応する制御を実行する制御ＣＰＵ部（主制御ブロック）５、チューナ部３が受信した番組を外部装置である映像表示装置（モニタ装置）１０１が表示可能に処理し、ユーザの要求に従い、後述する記録ユニットに記録（録画）する録画信号処理部７を含む。
【０００９】
制御ＣＰＵ部５は、ＧＵＩ処理部５１、録画／再生モード処理部５２、録画制御処理部５３、録画時自動チャプター生成部５４、タグ編集処理部５５、タイトル／チャプター／タグ再生処理部５６、ＥＰＧ情報取得部５７及びタグリスト編集処理部５８等の要素を、少なくとも含む。また、制御ＣＰＵ部５には、後段に説明するが、さまざまな情報を記憶するメモリ部９、外部ネットワーク網を通じ、さまざまな情報を取得し、あるいは共有するためのデータの受け渡しが可能なネットワーク制御部１１、及びリモート端末（リモコン）１３を用いたユーザ操作及び、ユーザによる直接操作を受けつけるユーザ操作入力部１５が接続される。
【００１０】
ネットワーク制御部１１は、ネットワーク（インターネット／クラウドコンピューティング）上のデータ管理サーバ２０１との接続により、上述の『タグ』及びそのリストである『タグリスト』を共有できる。従って、後段に説明するが、他のユーザが用意した『タグ』及び『タグリスト』を参照し、その『タグリスト』に従う番組（コンテンツ）の再生が可能である。
【００１１】
タグリストの管理を行なうタグリストアプリは、外部の電子機器、例えばユーザ端末１２で動作するアプリケーション、または、録画機（録画再生装置）１内で動作する。タグリストアプリから、タイトル／チャプター／タグ再生処理部５６に対して、チャプター編集コマンドを送ることができる。ユーザ端末１２から送る場合は、ネットワーク制御部１１を経由して行なう。
【００１２】
図１は、実施形態を適用する録画再生装置の構成の一例でありなお、以下に詳細に説明するその他各要素／構成は、ハードウエアで実現するものであってもよいし、マイクロコンピュータ（処理装置，ＣＰＵ）等を用いてソフトウエアで実現するものであってもよい。
【００１３】
なお、映像表示装置１０１は、映像を再生するモニタ装置と音声（オーディオ）を再生するスピーカ装置とが一体に設けられたものであってもよいし、それぞれが独立して用意されているものであってもよい。また、モニタ装置とＡＶ（Audio Visual）アンプ装置等の組み合わせであってもよいことはいうまでもない。
【００１４】
チューナ部３は、地上アナログ／地上デジタル等に代表される公衆向け放送や放送衛星を介して供給される公衆向け衛星放送波の任意のチャンネルの番組（タイトル）を受信可能で、例えばＴＳ（Transport stream，以降“ＴＳ”と呼称する）形式であるデジタル放送を受信できる。なお、チューナ部３は、詳述しないが、例えば光ケーブル等の通信網を介してプロバイダあるいは配信局（地域ネットワーク基地局）等から供給される限定的なコンテンツも受信可能である。
【００１５】
制御ＣＰＵ部５にはまた、タイマーコントローラ（時計部）９０が接続する。時計部（タイマーコントローラ）９０は、時刻や、ユーザからの入力により設定される予約録画のための予約時刻（日時）と録画対象チャンネル等の情報を管理するとともに、その情報を保持可能である。なお、時計部９０は、チューナ部３が含む地上デジタルチューナ部が受信するデジタル放送から、ＴＯＴ（Time Offset Table）と呼ばれる「時刻情報」を、常時取得できる。すなわち、時計部９０は、実質的に電波時計を内蔵している機器と同等の時刻管理が可能である。なお、時計部９０は、スケジューラ機能およびメッセンジャ機能により規定される所定の時刻において、電源部９１による、商用電源に対する電源のオン／オフ（通電）を制御できることはいうまでもない。すなわち、コンセントが抜かれている等の物理的に通電が困難な状況下以外においては、電力消費の比較的大きな要素を除く制御ＣＰＵ部５等への２次電源（ＤＣ（直流）３１Ｖあるいは２４Ｖもしくは５Ｖ等）は、通常確保されており、予め規定された時刻に、録画信号処理部７あるいは後段に説明するＨＤＤ１７等を起動されることは、いうまでもない。
【００１６】
ＧＵＩ処理部５１は、ユーザによる操作信号あるいは制御入力の入力に用いる、ＧＵＩ（Graphical User Interface）あるいはアイコン等を、モニタ装置１０１に表示するための表示出力を生成する。この出力は、後段に説明するが、録画信号処理部７が出力する映像信号に、所定の透過率で重ね合わせられる。
【００１７】
録画／再生モード処理部５２は、録画時には、ユーザが設定した録画（記録）モードで記録媒体への記録が可能に、録画信号処理部７による記録処理時に適用する記録（録画）モードを設定し、再生時には、記録時に設定された記録モードに対応する再生モードを設定する。
【００１８】
録画制御処理部５３は、録画／再生モード処理部５２において設定された録画（記録）モードに対応する記録レート（映像）、記録すべき音声種別（二ヶ国語／日本語のみ／二ヶ国語のみ等）、音声種別がＨＢＲ（High Bit Rate）オーディオ等のレートを変更可能である場合の記録レート（オーディオ）、あるいはチャプター（任意区切り）の有無、等の録画時に処理すべき情報に基づく処理を設定する。なお、チャプターは録画番組内の区切りとして利用され、再生中のチャプター間スキップ、あるいは録画された番組を編集する際の目印として使われる。
【００１９】
録画時自動チャプター生成部５４は、録画制御処理部５３により、チャプターをつけることが設定されていない場合であっても、例えばＣＭ（コマーシャル）の前後、あるいは特別なシーンの前後において、チャプターを付与する。なお、毎週決まった時間に繰り返し録画が設定されている番組がある場合、その番組に設定されたチャプターの位置情報に従い、自動的にチャプターを付与することも可能である。また、後段に説明するが、ネットワーク制御部によるネットワークへの接続、及びサーバへのアクセスの結果、録画した番組と同一の番組に用意されたチャプターの位置情報がある場合、それを取得してチャプターを付与することもできる。
【００２０】
タグ編集処理部５５は、録画制御処理部５３がチャプターを付与する設定に設定されていない場合であっても、例えばＣＭの前後、あるいは特別なシーンの前後に、任意にチャプターを付与することを可能に、チャプターが付与されるであろう、仮想したチャプター位置に対する位置情報を保持する。
【００２１】
タイトル／チャプター／タグ再生処理部５６は、録画制御処理部５３、及び録画時自動チャプター生成部５４により設定されたチャプターに従い、例えば再生中のチャプター間スキップ、あるいは録画された番組の編集時の映像の取り込み開始、を設定する。なお、チャプターには、予め「名称または識別のための表示（タイトル）」を付属することができ、「タイトル」が付属したチャプターを再生する場合は、表示出力映像中の所定の位置に、「タイトル」を表示できる。
【００２２】
ＥＰＧ情報取得部５７は、受信した番組から録画制御処理部５３（または制御ＣＰＵ部５のファームウエア等）により分離したＥＰＧ（Electric Program Guide，電子番組表）により供給される番組情報、例えば＜出演者名＞、＜解説＞、＜コメント＞等を取得し、メモリ部９が含む所定の格納部に書き込む。
【００２３】
タグリスト編集処理部５８は、図２により後段により詳しく説明するが、チャプターと独立に設定可能で、開始位置（始点）と終了位置（終点）とにより規定される区間である『タグ』と、その規定された区間（『タグ』）の特徴を示す「説明」／［コメント］等が付属する映像の『タグ』を管理する。なお、『タグ』は、＜目印をつけて整理する＞という意味の『タギング（Taging）』と類似である。
【００２４】
録画信号処理部７は、詳述しないが、ビデオエンコーダ、ビデオデコーダ、オーディオエンコーダ、及びオーディオデコーダ等、を少なくとも含む。なお、各エンコーダは、入力されたアナログ信号（ビデオ（映像）／オーディオ（音声））を、デジタル信号に変換（エンコード）するもので、例えばＭＰＥＧ（Moving Picture Experts Group）−２あるいはＭＰＥＧ−４（Ｈ．２６４−ＡＶＣ）等に準拠した信号圧縮が広く用いられている。また、各デコーダは、ＭＰＥＧ−２あるいはＭＰＥＧ−４（Ｈ．２６４−ＡＶＣ）等に圧縮されたデジタル信号を、デコードすることはいうまでもない。
【００２５】
録画信号処理部７には、ＨＤＤ（Hard Disk Drive，大容量記憶装置）１７、例えばＤＶＤ規格、あるいはＤＶＤ規格に比較してより記録密度が高められた光ディスク（着脱可能な記録媒体）を用い、光ディスクが保持した情報を再生し、あるいはチューナ部３が受信した番組（コンテンツ）すなわち映像データおよびオーディオデータを、光ディスクに記録可能なディスクドライブ装置１９、例えばＳＳＤ（Solid State Drive，半導体メモリ装置）であるメモリカードから映像データおよびオーディオデータを読み出し、もしくは同データをメモリカードに書き込むリーダ／ライタ２１が接続する。なお、記録媒体として、例えば図示しないＵＳＢポートを経由して録画信号処理部７と接続する記憶装置（ＵＳＢ（Universal Serial Bus）を通じて接続するＨＤＤ、ネットワーク制御部１１と接続する記憶装置、例えばＬＡＮ−Ｄｉｓｋ（ＬＡＮ（Local Area Network）を通じて接続するＨＤＤ等も、広く用いることができる。また、ネットワークを経由した接続／ＵＳＢを用いた接続に加え、例えばＤＬＮＡ（Digital Living Network Alliance（登録商標）
【００２６】
）規格等に準拠したネットワークコントローラや、図示しないBluetooth（登録商標）／（ブルートゥース（登録商標）と表記することもある）が用意され、それらを経由して、データの受け渡しが可能なレコーダ装置やＨＤＤ装置、もしくは携帯可能な端末装置が接続されてもよいことはいうまでもない。なお、ＵＳＢ接続により、キーボードが用意され
【００２７】
ることで、以下に説明する［コメント］等の文字入力も、容易である。
メモリ部９は、例えばＳＤＲＡＭ（Synchronous DRAM，DRAM = Dynamic Random Access Memory）等に代表され、ワークメモリとして用いる書き換え可能型のメモリ、制御ＣＰＵ部５（及び録画再生装置１の任意の要素）を動作させるためのプログラムを保持したＲＯＭ、あるいは詳述しないが、録画予約制御部において予約された予約日時、録画／ダビング種別、長さ（開始時間／終了時間）、チャンネル（ｃｈ）、レート等の情報を保持する不揮発性メモリ（ＮＶＭ）等を含む。メモリ部９はまた、上述した『タグ』及びそのリストである『タグリスト』を含む『タグ情報』を保持する所定の大きさの記憶領域を、有する。なお、メモリ部９は、番組（コンテンツ）の再生に必要となるアプリケーション（プログラム／プロトコル）等も保持（記憶）する。また、新たなアプリケーション（プログラム／プロトコル）が供給された場合、例えばプラグイン機能により、それを収容可能である。
【００２８】
ユーザ操作入力部１５は、詳述しないが、録画再生装置１本体に設けられる操作ボタン群により直接指示される（ユーザからの）操作入力を受け付ける。例えば、録画再生装置１に通常設けられている再生（ＰＬＡＹ）ボタンによる再生指示、録画（ＲＥＣ）ボタンによる録画指示、主電源のオン／オフ等、を指示する。また、ユーザ操作入力部１５は、リモコン１３によるユーザの指示、例えばチューナ部３を通じて受信（取得）すべき放送波／入力の選択、録画信号処理部７による録画処理、及び後段に説明する種々の記録媒体が保持する番組の再生、削除ダビング（またはムーブ）等のユーザ操作を受け付け、制御ＣＰＵ部５に、対応するコマンドを入力する。
【００２９】
ネットワーク制御部１１は、ネットワーク（インターネット／クラウドコンピューティング）上のデータ管理サーバ２０１との接続により、上述の『タグ』及びそのリストである『タグリスト』を共有できる。従って、後段に説明するが、他のユーザが用意した『タグ』及び『タグリスト』を参照し、その『タグリスト』に従う番組（コンテンツ）の再生が可能である。
【００３０】
ネットワーク制御部１１はまた、ネットワーク上に公開されている「ｉカレンダ（i Calendar Store server）」に、『タグ』もしくは『タグリスト』を書き込む（アップデートする）とともに、予め予定（登録）されたユーザ端末との間で、例えばＥ−メールによる『タグリスト』の閲覧あるいは取得が可能である。なお、「ｉカレンダ（i Calendar）」は、ＰＩＭ（Personal Information Manager）データ標準に準拠したスケジュール管理アプリケーションであり、今日では、ＰＤＡ（Personal Digital assistant）やスマートフォン等に代表される携帯端末や携帯電話装置に、標準的に実装されている（あるいは携帯端末や携帯電話装置がサポートしている）。従って、同アプリケーションをサポートした（実装されている）任意の端末装置を用いる他のユーザが書き込んだ『タグ』もしくは『タグリスト』が存在することを確認できた場合、その『タグリスト』を取得して、番組（コンテンツ）の再生に反映することが可能である。
【００３１】
また、上述の『タグ』及びそのリストである『タグリスト』の共有は、図示しないが、家庭内あるいは企業（オフィス）内のグループを単位とするホームサーバで用いられてもよいことはいうまでもない。なお、ホームサーバとしては、例えばユーザが保有するＰＣ（Personal Computer）であってもよい。
【００３２】
データ管理サーバ２０１は、上述した『タグ』あるいは『タグリスト』を管理するタグリスト管理部２１１、『タグ』及び『タグリスト』を収容するデータベース部２２１、予め予定（登録）されたユーザ端末との間で、例えばＥ−メールの送受信を可能とする通知送受信部２３１、を少なくとも含む。また、データ管理サーバ２０１は、例えば地上デジ
【００３３】
タル放送を提供する個々の放送事業者が提供するＥＰＧ（電子番組表）や上述の番組録画装置を提供する製造メーカが独自に用意したサーバ、及び視聴が無料ではあるが視聴契約を必要とする番組を提供する番組提供事業者が提供する番組一覧（コンテンツテーブル）等を含む。
【００３４】
さて図２は、タグリストの例で、ある30分の番組を対象としたタグリストであり、タグ位置(時間)にタグ(文字列)を定義したリストである。一般的に、タグ作成アプリ等で、ユーザが自由に作成することができる。
【００３５】
そして図３は、このタグリスト内の文字列定義の例である。IN点（始点）とOUT点（終点）について、表のように定義する。例外処理の説明を行うと次のようになる。
【００３６】
A.先頭から、最初のタグにOUTが出てきた場合は、先頭(0:00:00)にIN:タグがあるとみなす。
B.最後のタグがINで終わっている場合は、タイトル最後にOUT:タグがあるとみなす。
C.”IN:”のタグから、次の”OUT:”のタグの間の”IN:”のタグはIN点とみなさない。
D.”OUT:”のタグから、次の”IN:”のタグの間の”OUT:”のタグはOUT点とみなさない。
図４は、レコーダーの編集コマンドの一例である。タグリストアプリから編集コマンドを送ることができる。タグリストアプリは、レコーダー内で動作する場合と、レコーダー外のPCやネット機器で動作する場合がある。レコーダー外から送る場合は、既知の実施例の仕組みがある。本実施例では、レコーダーのGUI画面での編集機能と同等のコマンドをタグリストアプリから受け付けられるものとする。
【００３７】
図５は、今回の例で、タグリストアプリとレコーダーでのコマンドシーケンスの図であり以下のように制御される。
コマンドにより、どのようにプレイリストを作成するかの方法については、図６以降を用いて説明する。
ステップＳ５１：  プレイリストを作成する。
ステップＳ５２：  このプレイリスト作成に対する完了通知を発する。
ステップＳ５３：  全チャプター結合コマンドを発する。
ステップＳ５４：  この全チャプター結合コマンドに対する完了通知を発する。
ステップＳ５５：  チャプター分割コマンドを発する。
ステップＳ５６：  このチャプター分割コマンドに対する完了通知を発する。
ステップＳ５７：  チャプター削除コマンドを発する。
ステップＳ５８：  このチャプター削除コマンドに対する完了通知を発する。
ステップＳ５９：  チャプター名変更コマンドを発する。
ステップＳ６０：  このチャプター名変更コマンドに対する完了通知を発する。
図６は、図２の対象とするタイトルに対して、図４のレコーダー編集コマンドの「プレイリスト作成」で以下のコマンドを送ることで実現する。
１）タイトル全体を再生するプレイリストを作成
２）そのプレイリストに対して、全チャプター結合コマンド
３）そのプレイリストに対して、チャプター分割コマンドで、タグリストのタグ位置によるチャプターを分割
図７は、図６のプレイリストに対して、OUT点指定〜IN点指定の直前までのチャプターを削除するため、どのチャプターを削除するかを図示したものである。この例では、”OUT:”で始まって”IN:”の直前までが削除対象となるため、チャプター番号2,6,10が削除対象となる。そこで、チャプター削除コマンドで、チャプター10,チャプター6,チャプター2のチャプター削除を行なう。
【００３８】
図８は、図７のプレイリストから削除対象のチャプターを削除した後のプレイリストである。
チャプターを3個削除したため、削除したチャプター番号を詰めて、チャプター総数は11個から8個になった。
図９は、図８のチャプター名から、不要なIN点指定の文字列を削除した後のプレイリストである。IN点OUT点の文字列は、プレイリスト作成後はユーザにとって不要な情報であるため、チャプター名からは削除する。チャプター名変更コマンドで、IN点OUT点の文字列を取った文字列を指定する。
【００３９】
以上の制御により、タグリストから、IN点OUT点を考慮したプレイリストを作成することができた。
即ち次のような特徴を持つ、タグリスト内に定義されたIN/OUT区間と、そのタグリストからIN/OUT区間情報を元に必要な部分のみを指定したプレイリストを作成する手段により、ユーザは、タグリストから必要な部分のみのプレイリストを容易に作成することができる。
【００４０】
（１）録画再生装置のタイトルに関連付けたタグリストのタグ内にIN/OUT区間を定義できるようにしたタグリスト
（２）（１）のIN/OUT指定は通常のタグと混在して定義することが可能なタグリスト
（３）タグリストのタグ内のINとOUTタグを元に、プレイリストを作成することができる録画再生装置
なお、この発明は上記実施形態に限定されるものではなく、この外その要旨を逸脱しない範囲で種々変形して実施することができる。例えばプレイリストは再生リストであるが、コピーやムーブに用いられることもある。また、録画再生装置は録画または再生のいずれかの機能を持つ機器であってもよい。
【００４１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４２】
１…録画再生装置（レコーダ装置）、３…チューナ部、５…制御ＣＰＵ部、７…録画信号処理部、９…メモリ部、１１…ネットワーク制御部、１５…ユーザ操作入力部、５１…ＧＵＩ処理部、５３…録画制御処理部、５５…タグ編集処理部、５７…ＥＰＧ情報取得部、５８…タグリスト編集処理部、９０…タイマーコントローラ、９１…電源部。
【図１】
2013030823.tif 000003
【図２】
2013030823.tif 000004
【図３】
2013030823.tif 000005
【図４】
2013030823.tif 000006
【図５】
2013030823.tif 000007
【図６】
2013030823.tif 000008
【図７】
2013030823.tif 000009
【図８】
2013030823.tif 000010
【図９】
2013030823.tif 000011